(57)【要約】【課題】新車購入時の購入者のローン負担を小さくして、新車販売台数を増やす新車販売システムおよび方法が提供される。【解決手段】新車販売システムであって、該新車車種のｎ年後の中古車価格を予想する手段と該新車の販売価格から中古車価格を減じた差額ｓを求める手段と、ｓに利益ｘを加えた額に基づきローン額と期間を設定する手段と、購入希望者に提案する手段とを備えた、新車販売システム。新車販売方法であって、該新車車種のｎ年後の中古車価格を予想する工程と、該新車の販売価格から該ｎ年後の中古車価格を減じた差額ｓを求める工程と、ｓに利益ｘを加えた額に基づきローン額と期間を設定する工程と、購入希望者に提案する工程とを備えた、新車販売方法。【選択図】図１
2019016171.tif 000002
【特許請求の範囲】
【請求項１】
新車販売システムであって、
該新車車種のｎ年後の中古車価格を予想する手段と、
該新車の販売価格から該ｎ年後の中古車価格を減じた差額ｓを求める手段と、
ｓに利益ｘを加えた額に基づきローン額と期間を設定する手段と、
購入希望者に提案する手段と
を備えた、新車販売システム。
【請求項２】
会員システムである、請求項１のシステム。
【請求項３】
寄付管理システムを含むことを特徴とする、請求項１または２のシステム。
【請求項４】
少なくとも３年毎に新車を買い換えるシステムである、請求項１〜３のいずれかのシステム。
【請求項５】
ｎ年後に中古車をオークションで販売する、請求項１〜４のいずれかのシステム。
【請求項６】
オークションが海外オークションも含む、請求項５のシステム。
【請求項７】
中古車の購入希望者を登録させ、売り手と買い手をマッチングさせる仕組みを含む、請求項１〜６のシステム。
【請求項８】
カーシェアリングシステムを含む、請求項１〜７のシステム。
【請求項９】
新車販売方法であって、
該新車車種のｎ年後の中古車価格を予想する工程と、
該新車の販売価格から該ｎ年後の中古車価格を減じた差額ｓを求める工程と、
ｓに利益ｘを加えた額に基づきローン額と期間を設定する工程と、
購入希望者に提案する工程と
を備えた、新車販売方法。
【請求項１０】
会員を管理する工程を含む、請求項９の新車販売方法。
【請求項１１】
寄付金を管理する工程を含む、請求項９または１０の新車販売方法。
【請求項１２】
少なくとも３年毎に新車を買い換える工程を含む、請求項９〜１１のいずれかの新車販売方法。
【請求項１３】
ｎ年後に中古車をオークションで販売する、請求項９〜１２のいずれかの新車販売方法。
【請求項１４】
オークションが海外オークションも含む、請求項１３の新車販売方法。
【請求項１５】
中古車の購入希望者を登録させ、売り手と買い手をマッチングさせる工程を含む、請求項９〜１４の方法。
【請求項１６】
カーシェアリングを管理する工程を含む、請求項９〜１５のいずれかの方法。
【発明の詳細な説明】
【技術分野】
【０００１】
本発明は、新車の販売方法および未来の中古車の買い取り価格の予想、売却方法、およびそれらのシステムに関する。より詳しくは、中古車買い取り条件込で新車を販売し、一定期間後中古車を買い戻して売却する方法およびシステムに関する。
【背景技術】
【０００２】
近年、若者の車離れが進み、29歳以下世帯の車両の所有率は50%を切り、カーシェアリングの影響等もあり、新車の販売台数が減少傾向にある。それに伴って、中古車も市場に出回る数が減少し、中古車不足が問題になっている。
【０００３】
一方、日本経済全体が伸び悩み、また若い世代の収入が10年前と比較し減少しており新車を購入するのに十分な収入を得ていないという問題もある。すなわち、高額な頭金、月々やボーナス時の支払いができないために、車を買えないという問題もある。
【０００４】
また、高級車を購入した場合に高額な頭金、初期費用とローンの支払いが重荷になり、新車に買い換える余裕がないという問題もあった。
【０００５】
かかる問題を解決する方法として、新車価格からｎ年後の中古車価格を差し引いた差分額を計算してリースする方法がある（特許文献１）。しかしながら、この方法では、車の所有者はリース会社となり、新車販売額がリース会社の契約状況に左右されるという問題があった。また、リースは初期購入時の諸経費や複数年の税金やメンテナンス費用にも金利がかかるという最大の欠点がある。また、リースを受ける需用者も新車販売会社だけでなく、リース会社にもマージンを支払う必要があり、必ずしも新車を安く購入できるとは限らなかった。さらに、ユーザーの中には、車をリースではなく、自己の所有物として持ちたいという要望もあった。
【０００６】
そこで、収入が多くない需要者が、直接安価に新車を購入できるシステムが求められていた。
【先行技術文献】
【特許文献】
【０００７】
【特許文献１】特開２００９−１６９７０１
【発明の概要】
【発明が解決しようとする課題】
【０００８】
新車購入時の購入者のローン負担を小さくして、新車販売台数を増やす新車販売システムおよび方法が提供される。
【課題を解決するための手段】
【０００９】
本明細書によれば以下の発明が提供される。
（１）新車販売システムであって、
該新車車種のｎ年後の中古車価格を予想する手段と、
該新車の販売価格から該ｎ年後の中古車価格を減じた差額ｓを求める手段と、
ｓに利益ｘを加えた額に基づきローン額と期間を設定する手段と、
購入希望者に提案する手段と
を備えた、新車販売システム。
（２）会員システムである、（１）のシステム。
（３）寄付管理システムを含むことを特徴とする、（１）または（２）のシステム。
（４）少なくとも３年毎に新車を買い換えるシステムである、（１）〜（３）のいずれかのシステム。
（５）ｎ年後に中古車をオークションで販売する、（１）〜（４）のいずれかのシステム。
（６）オークションが海外オークションも含む、（５）のシステム。
（７）中古車の購入希望者を登録させ、売り手と買い手をマッチングさせる仕組みを含む、（１）〜（６）のシステム。
（８）カーシェアリングシステムを含む、（１）〜（７）のシステム。
（９）新車販売方法であって、
該新車車種のｎ年後の中古車価格を予想する工程と、
該新車の販売価格から該ｎ年後の中古車価格を減じた差額ｓを求める工程と、
ｓに利益ｘを加えた額に基づきローン額と期間を設定する工程と、
購入希望者に提案する工程と
を備えた、新車販売方法。
（１０）会員を管理する工程を含む、（９）の新車販売方法。
（１１）寄付金を管理する工程を含む、（９）または（１０）の新車販売方法。
（１２）少なくとも３年毎に新車を買い換える工程を含む、（９）〜（１１）のいずれかの新車販売方法。
（１３）ｎ年後に中古車をオークションで販売する、（９）〜（１２）のいずれかの新車販売方法。
（１４）オークションが海外オークションも含む、（１３）の新車販売方法。
（１５）中古車の購入希望者を登録させ、売り手と買い手をマッチングさせる工程を含む、（９）〜（１４）の方法。
（１６）カーシェアリングを管理する工程を含む、（９）〜（１５）のいずれかの方法。
【発明の効果】
【００１０】
本発明によれば、新車を低額のローンで販売することができ、新車の販売台数および中古車供給数を増加させることができる。
【図面の簡単な説明】
【００１１】
【図１】図１は、本発明の全体像を示した図である。
【発明を実施するための形態】
【００１２】
本発明は、新車を販売するシステムおよび／または方法である。すなわち、過去の中古車価格データベースを備え、新車と同型の車種のｎ年後、好ましくは３年以内の中古車価格を予想する手段を備える。中古車価格データベースは、日本国内及び／又は全世界を網羅するデータベースが好ましいが、日本国内のみ、もしくは、特定の外国のデータベース、または、それらの組合せであってもよい。データ保存期間は、好ましくは３年間以上、より好ましくは５年間以上、さらに好ましくは７年間以上、最も好ましくは１０年間以上であるが、特に制限されない。要は、新車のｎ年後の中古車価格が予想できるデータベースであればよい。また、該中古車価格データベースは、本発明のシステムからアクセス可能な外部のデータベースであってもよく、または、データベースをローカルに構築して本発明のシステムに組み込んでもよい。
【００１３】
ｎ年後の中古車価格予測手段は該中古車価格データベースの価格推移から単純に平均を計算したり、フーリエ変換等を用いて外挿して求めることもできるが、人工知能を使ってｎ年後の中古車価格を予想するシステムであってもよい。人工知能を使ってｎ年後の中古車価格を予想する場合には、ディープラーニングを用いることが好ましい。ディープラーニングとしては、例えば、Google社が提供するテンソルフロープログラムを用いて、それまでの中古車価格の推移を学習させて、予測すればよい。あるいは、IBMワトソンに対応プログラムが開発されればそれを用いてもよい。また、日本だけでなく、海外の中古車価格をも予想するシステムであってもよい。
【００１４】
ｎ年後の中古車販売価格が予想できれば、新車の販売価格からｎ年後の中古車の価格を引いた差額ｓが算出できる。ｓまたは、ｓに利益ｘを加えた額に対して、ローンを組めば、車種によっては非常に安いローンで販売できる車種があり得る。販売者の利益ｘは０以上が好ましいが、マイナスにして実質的に値引きしてもよい。
【００１５】
新車の販売価格は定価にすることが好ましい。定価にすることで、販売促進費やローンバック等の販促費が上乗せされた価格で販売でき、中古車販売時に予想外の価格になったとしても、それらで吸収できる可能性があるからである。
【００１６】
例えば、フェラーリ等では、新車販売価格よりも中古車の方が高くなる場合があるので、ｓはマイナスとなり得る。また、外国においても、日本での新車販売価格よりも、該外国の中古車の方が高い値段で売れる場合がある。このような車種については、適宜販売者の自由意思で必要な利益ｘを考慮して販売価格（ローン額）を決定することができる。例えば、車体費用＋諸経費＋クラブ会費＋金利の合計額（ローン残債額）の２０%を３年間かけて支払うようにローン額を設定してもよい。販売者は、申込み者に対して、ｓがマイナスとなる車種のみ、または、ｓがマイナスとなる車種を優先的に紹介してもよい。または、ｓの小さい順に紹介することで、販売車の利益をより大きくすることも可能である。
【００１７】
本発明の新車販売システムは、会員制システムであることが好ましい。すなわち、会員に入会すれば、３年毎に新しい車を安価なローンで買い換えることができ、車好きな人にとっては常に最新の車種に乗れることから満足度の高いシステムである。
【００１８】
本発明の新車販売システムにおいては、会員が寄付金を自動で支払うシステムを含んでいてもよい。これは、高級車を購入する層は寄附に熱心である人が多いためである。例えば、発展途上国の子供を支援する寄付金を本発明のシステムから自動で送金でき、それに対して、寄附された子供からの手紙が来るシステムなどが考えられる。
【００１９】
本発明の新車販売システムにおいては、中古車の供給も目的としていることから、３年毎に新しい新車に買い替えるのが好ましい。３年を超える中古車の場合は、中古車価格が低下し、ローンの支払額がより高額になるためでもある。３年以内に、新しい新車に乗り換える場合は、購入者は残債を一括で支払うことにしてもよく、システム管理者が残債も中古車価格に含めて購入してもよい。
【００２０】
ｎ年後に、システム管理者は販売した新車の中古車を買い戻し、オークションなどで販売する。日本のオークションとしては、例えば、USSオークションサイト等が利用できる。また、オークションは日本に限らず、海外オークションであってもよい。あるいは、新車販売事業者が、自らオークションシステムを構築してもよい。その場合は、本発明のシステムに組み込むことができる。これにより、市場に中古車を供給するという目的が達成できる。
【００２１】
本発明の新車販売システムは、カーシェアリングシステムを含んでいてもよい。その場合は、共同購入、共同所有になり、支払管理が煩雑になるが、共同所有の管理システムをシステムに組み込むことにより、カーシェアリングへの本発明の適用も可能である。
【００２２】
本発明によれば、収入が低い人でも頭金無しで高級外車の購入を容易にする。そのため、高級外車の購入者が増え、３年以内に乗り換えるシステムであるため、３年以内に高級外車の中古車が市場に出回り、中古車市場も活性化できる。
さらに、本発明は会員制であるため、システム管理者には継続して安定した収入が得られる。
【００２３】
会員は、海外のチャイルドサポートなどの寄付事業に寄付するシステムであるため、チャイルドサポートのためにも会員を継続するモチベーションが湧き、仕事へのモチベーションにもつながり、貢献のニーズも満足できる。
以下、実施例により、本発明を説明するが、それらは１実施態様の例示に過ぎず、実施例により本願発明は何ら制限されるものではない。
【実施例】
【００２４】
図１は、本発明のシステム１の全体構成のブロック図である。本発明においては、データベース１０、希望車種入力部２０、ｎ年後の価格予想部３０、ローン条件設定部４０、ローン条件提案部５０、会員管理部６０、ローン管理部７０、寄付金管理部８０、中古車買い取り部９０、中古車販売部１００を備えている。
【００２５】
ユーザーは、ユーザー端末１２０からインターネットを介して本発明のシステム１に接続し、希望車種（型番、色、オプションなど）を入力することができる。ユーザー端末１２０としては、例えば、パソコン、スマートフォン、携帯電話などが挙げられるが、これらに限られず、本発明のシステムに希望車種を入力できるものであれば特に制限されない。また、ディーラーなどの販売者がユーザーにヒアリングして販売者の端末からユーザーの希望車種を入力してもよい。ユーザーがディーラーの端末から希望車種を入力してもよい。
【００２６】
データベース１０は、国内および／または海外の中古車価格データベースである。少なくともｎ年分以上のデータを蓄積していることが好ましい。該データベースは本発明のシステム内に作成してもよく、外部データベースに接続して取り込む形にしてもよい。ユーザーが希望車種を入力すると、希望車種入力部２０に記録され、ｎ年後の価格予測部３０がデータベース１０のデータを元にｎ年後の価格予測部３０が、ｎ年後の中古車の価格を予測する。
【００２７】
ｎ年後の価格予測部３０は、単に過去のｎ年後の中古車価格のデータから価格を予測してもよく、過去の価格推移から、ｎ年後の価格を予測してもよい。価格予測の方法としては、例えば、価格推移の近似直線や近似曲線を用いるか、さらに曲線をフーリエ変換してグラフ化して予測することもでき、人工知能を用いて予測することもできる。人工知能はディープラーニングを用いることが好ましく、例えば、IBMワトソンやGoogleのテンソルフローを用いたディープラーニングなどを用いることができるが、これらに限られない。
【００２８】
人工知能を用いる場合、ユーザー希望車種から、その希望車種を希望したユーザーが購入した類似車種を提案してもよい。また、ユーザーの年齢、性別、年収、趣味、嗜好などのデータを入力させ、それに基づいて、ユーザーに合った車種を推薦するようにしてもよい。これらは、ビッグデータを用いてディープラーニングさせることでより精度よくユーザーに適した提案ができるようにしてもよい。
【００２９】
価格予測部３０は、ユーザーの希望車種そのもの（型式、色、オプションなど）のみでなく、それに近い型式、他の色なども含めてｎ年後の中古車価格を予測し、それらに対応する新車価格データも含めてローン設定部に渡す。
【００３０】
ローン設定部４０は、新車販売価格―ｎ年後の中古車価格＝ｓを算出し、ｎ年間のローンを設定する。ｓに利益ｘを加えた額に対してローンを設定してもよい。ｎは０より大きい数であれば、特に制限されないが、本発明においては、３以下が好ましい。３年を超えると車検が必要となり、中古車価格も安くなるためユーザーの負担が増えるためである。ｎを３年以内とすることで、ローン額を低額にすることができる。なお、ｎは整数が好ましいが、実際には、２．５年など途中で解約するケースも起こりえるので小数点を含む数字であってもよい。
【００３１】
ローン設定部４０は、別会社のローン会社のサーバーと連携してローン会社のローン設定システムを利用してもよい。
【００３２】
ローン提案部５０は、ユーザーが希望する車種および、それに関連する別の型番、色の車種も含めてユーザーに提案する。この場合、ローン額がより安くなる型番、色の車種のみを紹介してもよく、ローン額は高くなるが、アップグレードになる車種も含めて提案してもよい。ローン額が高くなる場合は、希望車種のローン額からの支払額上昇率が５０％以下、より好ましくは、４０％以下、さらに好ましくは３０％以下、特に好ましくは２０％以下、最も好ましくは１０％以下であるがこれらに限られない。また、必要に応じて車に担保を設定してもよい。
【００３３】
ユーザーは、ユーザー端末１２０を操作して、ローン額の毎月の支払い額の上限を入力することができ、それに応じてサーバーは候補となる車種とローン条件を計算して提案することもできる。
【００３４】
本発明のシステムにおいては、ローン期間は３年以内に設定することで、安定的に中古車を市場に供給するとともに、よりよい状態の中古車をそれに見合った価格で販売することができる。
【００３５】
本発明においては、会員制システムを採用するのが好ましい。会員は、会員管理部６０により管理される。会員管理部は会員のデータベースを持ち（図示せず）、ローン（会費）の支払い状況、寄付金の状況、車の定期点検、修理、保険金支払い情報等を収集する。毎月の会員費もローンに含まれる。これらの情報は、ローン管理部７０、寄付金管理部８０と連動することで収集できる。
【００３６】
会員費の一部は寄付金に充当され、寄付金管理部８０により、管理される。寄付金は主に発展途上国の子供の支援などに寄付されるが、これに限られず、本システムの管理者と会員が合意した寄付先であれば、特に制限なく、寄付をすることができる。
【００３７】
本発明のシステムは、中古車買取部９０を有する。すなわち、新車をユーザーに販売後、通常は３年後にシステム管理者は中古車を事故や故障の有無、傷の有無と程度、走行距離などをチェックした上で査定し、査定額で購入する。
【００３８】
システム管理者が購入した中古車は中古車販売部１００により、オークションにかけられる。オークションは自社システムに登録したディーラーに公開するシステムであってもよく、外部オークションシステムを利用して販売するシステムであってもよい。
【産業上の利用可能性】
【００３９】
本発明は、自動車の新車販売事業、中古車販売事業、金融事業などに利用できる。
【符号の説明】
【００４０】
１０    データベース
２０    希望車種入力部
３０    ｎ年後の価格予測部
４０    ローン条件設定部
５０    ローン条件提案部
６０    会員管理部
７０    ローン管理部
８０    寄付金管理部
９０    中古車買取部
１００    中古車販売部
１１０    インターネット
１２０    ユーザー端末
【図１】
2019016171.tif 000003